(57)【要約】【課題】小さな力で容易に雑草などを引き抜くこと。【解決手段】水平方向に延びるハンドル８と、ハンドル８の中間部から下方に延びる支柱２と、回動軸を介して交差させた挟持刃１８を有する挟持部材４とを備え、草抜き時においては、草の茎を挟持刃が挟持したまま、ローラ２５を支点とし、ハンドル８を力点として挟持刃１８の先端が上方へ上がるように、ローラ２５を回動支点としてハンドル８が後方下側へ回動するようにして草抜きを行うことができる。【選択図】図１
2015080468.tif 000002
【特許請求の範囲】
【請求項１】
水平方向に延び、左右に把持部を有するハンドルと、
該ハンドルの中間部から下方に延びる支柱と、該支柱の下部側に設けられた一対のアーム部材を回動軸を介して交差させた挟持部材と、該アーム部材の先端側に設けられ草の茎を受け入れる左右一対の挟持刃と、該挟持刃を開閉する開閉手段と、前記支柱の下部側に設けられ草抜き時に地面への接地点となる支点部とを備え、
前記挟持刃が水平方向に向くように前記アーム部材に取付けられ、
草抜き時においては、前記草の茎を挟持した挟持刃を作用点とし、前記支点部を支点とし、前記ハンドルの左右把持部を力点とし、該ハンドルを後方下側へ回動させて、前記支点部を回動支点として前記挟持刃が閉じたまま上方へ回動するように構成したことを特徴とする草抜き機。
【請求項２】
前記開閉手段は、前記ハンドルに設けられた引き戻し可能なレバーと、該レバーに一端が取付けられ、前記レバーの引きに応じて引かれるワイヤーと、該ワイヤーの他端が取付けられ、該ワイヤーを引き戻しすることによって先端が開閉する前記アーム部材を有する挟持部材と、前記アーム部材の先端が開く方向又は閉じる方向に付勢するばねとを備え、
前記ワイヤーの引き戻しによって前記アーム部材と共に前記挟持刃が開閉するようにした請求項１に記載の草抜き機。
【請求項３】
前記開閉手段は、前記支柱の下端を軸心として前記支柱を回動自在に支持する支持軸と、
一端が前記支柱の下部側に設けられた取付部に軸支され他端が前記挟持部材の後端に軸支されている進退ロッドと、該進退ロッドに前記アーム部材の後端が引かれて先端が閉じる前記挟持部材とを備え、
前記支柱を後方へ回動させると、前記進退ロッドが前記支柱と共に後方へ移動するとともに、前記アーム部材の後端が進退ロッドによって後方へ移動し、前記アーム部材の先端が前記回動軸を軸として前記挟持刃が閉じる方向に回動し、
前記支柱を前方へ回動させると、前記進退ロッドが前記支柱と共に前方へ移動するとともに、前記アーム部材の後端が進退ロッドによって前方へ移動し、前記アーム部材の先端が前記回動軸を軸として前記挟持刃が開く方向に回動するようにした請求項１に記載の草抜き機。
【請求項４】
前記一対の挟持刃は前端が前方側向かってかつ平行に配置され、平行移動によって挟持刃が開閉する請求項１又は２に記載の草抜き機。
【請求項５】
前記一対の挟持刃は開状態でＶ字形状に配置されている請求項１又は３に記載の草抜き機。
【請求項６】
前記挟持刃は、草の茎に刃を喰いこます凹凸刃と、該凹凸刃の草の茎への食い込みを規制するとともに、草の外周面を挟持する挟持面を有する請求項１〜５のいずれか１項に記載の草抜き機。
【発明の詳細な説明】
【技術分野】
【０００１】
本発明は、道路脇、空き地などに生えている雑草等を根ごと引き抜くことができる草抜き機に関する。
【背景技術】
【０００２】
道路脇に生える雑草を除去するために、草刈り機や除草剤があり、エンジンや電動により作動する回転刃を用いたものは、作業効率も良く頻繁に用いられている。しかしながら、草刈り機は作業効率が良い反面、回転刃が縁石やポールなどに触れると、回転刃が反動で周方向に跳ね飛ばされて身体の怪我などが報告されている。また、除草剤（殺虫剤も含めて）も呼吸困難、体調不良、湿疹などの人体への影響が報告されており、安全上、環境上の問題もある。
さらに、草刈り機については、雑草の茎を切断するので、根っ子がそのまま残り、種類や季節にもよるが、短期間で再度、群生するのが一般的であり、作業回数も頻繁となる。
一方、雑草を根ごと引き抜いた場合は、新たな種などが落とされなければ、雑草は再度生えてくることがない。そこで、草刈り機とは別に雑草を根ごと引き抜く、草抜き機が考案されている。例えば、下記の特許文献１では電動式の草抜き機が開示され、特許文献２では手動式の草抜き器が開示されている。
【先行技術文献】
【特許文献】
【０００３】
【特許文献１】特開平９−２５２７０３号公報
【特許文献２】実開平７−１７７６号公報
【発明の概要】
【発明が解決しようとする課題】
【０００４】
しかしながら、草抜きの経験をした者は誰しもが分かるように、茎の小さな雑草は容易に抜けるが、茎の大きな雑草は多大な労力を有する。例えば、特許文献１の草取り器は、雑草を根切して抜き取るようにしているが、１本宛草の根をねらって、根切カッターを地中に差し込み１度に複数の雑草を抜き取ることができない。また、特許文献２の草抜き器では、片手で草取りをするので、軽作業には向いているが、太い茎をもった大量の雑草の草取りには不向きであり、いずれも広範囲の敷地に密集する雑草の除去には不向きである。
本発明は、雑草を引き抜くときに、１本宛引き抜くことはもちろん、茎が太くとも複数本を同時に抜き取ることができる草抜き機を提供することを目的とする。
【課題を解決するための手段】
【０００５】
本発明の草抜き装置は、上記目的を達成するために、水平方向に延び、左右に把持部を有するハンドルと、該ハンドルの中間部から下方に延びる支柱と、該支柱の下部側に設けられた一対のアーム部材を回動軸を介して交差させた挟持部材と、該アーム部材の先端側に設けられ草の茎を受け入れる左右一対の挟持刃と、該挟持刃を開閉する開閉手段と、前記支柱の下部側に設けられ草抜き時に地面への接地点となる支点部とを備え、前記挟持刃が水平方向に向くように前記アーム部材に取付けられ、草抜き時においては、前記草の茎を挟持した挟持刃を作用点とし、前記支点部を支点とし、前記ハンドルの左右把持部を力点とし、該ハンドルを後方下側へ回動させて、前記支点部を回動支点として前記挟持刃が閉じたまま上方へ回動するように構成した。
上記草抜き装置の前記開閉手段は、前記開閉手段は、前記ハンドルに設けられた引き戻し可能なレバーと、該レバーに一端が取付けられ、前記レバーの引きに応じて引かれるワイヤーと、該ワイヤーの他端が取付けられ、該ワイヤーを引き戻しすることによって先端が開閉する前記アーム部材を有する挟持部材と、前記アーム部材の先端が開く方向又は閉じる方向に付勢するばねとを備え、前記ワイヤーの引き戻しによって前記アーム部材と共に前記挟持刃が開閉することが好ましい。
上記草抜き装置の前記開閉手段は、前記支柱の下端を軸心として前記支柱を回動自在に支持する支持軸と、一端が前記支柱の下部側に設けられた取付部に軸支され他端が前記挟持部材の後端に軸支されている進退ロッドと、該進退ロッドに前記アーム部材の後端が引かれて先端が閉じる前記挟持部材とを備え、前記支柱を後方へ回動させると、前記進退ロッドが前記支柱と共に後方へ移動するとともに、前記アーム部材の後端が進退ロッドによって後方へ移動し、前記アーム部材の先端が前記回動軸を軸として前記挟持刃が閉じる方向に回動し、前記支柱を前方へ回動させると、前記進退ロッドが前記支柱と共に前方へ移動するとともに、前記アーム部材の後端が進退ロッドによって前方へ移動し、前記アーム部材の先端が前記回動軸を軸として前記挟持刃が開く方向に回動することもできる。
上記草抜き機の前記一対の挟持刃は、前端が前方側向かってかつ平行に配置され、平行移動によって挟持刃が開閉することが好ましい。
上記草抜き機の前記一対の挟持刃は開状態でＶ字形状に配置することもできる。
上記草抜き機の前記挟持刃は、草の茎に刃を喰いこます凹凸刃と、該凹凸刃の草の茎への食い込みを規制するとともに、草の外周面を挟持する挟持面を有することが好ましい。
【発明の効果】
【０００６】
本発明は、草抜き装置は、水平方向に延び、左右に把持部を有するハンドルと、該ハンドルの中間部から下方に延びる支柱と、該支柱の下部側に設けられた一対のアーム部材を回動軸を介して交差させた挟持部材と、該アーム部材の先端側に設けられ草の茎を受け入れる左右一対の挟持刃と、該挟持刃を開閉する開閉手段と、前記支柱の下部側に設けられ草抜き時に地面への接地点となる支点部とを備え、前記挟持刃が水平方向に向くように前記アーム部材に取付けられ、草抜き時においては、前記草の茎を挟持した挟持刃を作用点とし、前記支点部を支点とし、前記ハンドルを力点とし、該ハンドルを後方下側へ回動させて、前記支点部を回動支点として前記挟持刃が上方へ回動するように構成したので、てこの原理で大きな力で雑草を引く抜くことができる。また、茎を挟持刃で挟持するので、複数本の茎を挟持することも可能である。
【図面の簡単な説明】
【０００７】
【図１】本発明の第１の実施形態の草抜き機の正面図である。
【図２】図１の草抜き機の側面図である。
【図３】図１における草抜き機のハンドル部を斜め後方から見た拡大斜視図である。
【図４】図１における草抜き機の挟持部材周辺の拡大正面図である。
【図５】図１における草抜き機の挟持部材と搬送部を斜め後方側から見た拡大斜視図である。
【図６】Ａは、図１の草抜き機の挟持部材が開閉する状態を示す正面図、Ｂは挟持部材の背面図である。
【図７】本発明の第２の実施形態の草抜き機であって、Ａは挟持部材が開いた状態の側面図、Ｂは挟持部材が開いた状態の平面図である。
【図８】本発明の第２の実施形態の草抜き機であって、Ａは挟持部材が閉じた状態の側面図、Ｂは挟持部材が閉じた状態の平面図である。
【発明を実施するための形態】
【０００８】
以下、本発明の実施形態による草抜き機について図面を参照しながら説明する。
図１及び図２を参照にして、草抜き機１は、円形パイプの支柱２と、該支柱２の上端部に設けられているハンドル部３と、支柱２の下側前部に設けられている挟持部材４、同じく支柱２の下側後部に設けられている搬送部５とを備えている。
図３を参照にして、支柱２は直線形状の中空のパイプであり、支柱２の上端部にはハンドル８が取付けられている。ハンドル部３は、ハンドル８、補助ハンドル９、左右一対のレバー１０が設けられている。ハンドル８も支柱２と同様に、直線上のパイプであり、左右中間部が支柱２の上端部と溶接によって固定されている。ハンドル８の両端側の把持部には、作業者が把持するゴム若しくは樹脂製のグリップ１１が装着されている。また、ハンドル８の中間部には、ハンドル８に対して前方側にかつ間隔を開けて平行に配置される補助ハンドル９が、平板金具１２を介して取付けられている。補助ハンドル９は中空のパイプであって、ハンドル８の長さよりも小さい。
【０００９】
補助ハンドル９の前方側外周面には左右一対のレバー１０が取付金具１４を介して取付けられている。レバー１０は、自転車のブレーキで使用されるものと同種のものであり、レバー１０の基端側（ハンドル８の内側）には、各々ワイヤー１５の一端が取付けられており、各ワイヤー１５の他端は後述する挟持部材４のアーム部材１６ａ，１６ｂに取付けられている。補助ハンドル９はレバー１０が、引かれたときに、補助ハンドル９とレバー１０とが干渉しないように短い長さに形成される。
なお、ワイヤー１５の周囲にはレバー１０の基端に接続されたチューブ１７が設けられ、ワイヤー１５はチューブ１７の内部を摺動するが、図面は、チューブ１７内のワイヤー１５の存在を示す隠れ線を省略し、符号のみ示している。レバー１０は、外側（先端）の自由端側が作業者の位置から見て手前（草抜き機の後方）に引かれることによって、ワイヤー１５が矢印ａ側に引っ張られる。
また、取付金具１４は、取付ボルトやナットを緩めてレバー１０の装着角度を変更できるものが好ましく、レバー１０は、補助ハンドル９に取付けたが、ハンドル８に直接取付けてもよい。
【００１０】
図４及び図５を参照にして、一対のチューブ１７の各々は、レバー１０から支柱２の下側に固定されているガイド金具２１に取付けられている。ガイド金具２１には、各ワイヤー１５が貫通する孔１９（図５参照）が形成され、一対のワイヤー１５が互いに逆方向へ貫通する。
挟持部材４は、上述したワイヤー１５の他端部が取付けられるアーム部材１６とアーム部材１６に取付けられている挟持刃１８とを備えている。一対のアーム部材１６は、本実施形態ではＳ字形状であって、ハサミやペンチのように、中間部がＸ字形状又はほぼＸ字形状に交差し、該交差部には回動軸２０が設けられている。
そして、回動軸２０が支柱２の下部の固定部に回動可能に取付けられ、アーム部材１６は、回動軸２０を軸心として回動される。また、挟持部材４は、上下方向に支柱２の軸心方向に沿って配設され、先端側が下方に向き、上方の後端側にワイヤー１５が取付けられる。すなわち、図４に示すように、一方のワイヤー１５ａが、アーム部材１６ａの後端に接続（固定）され、他方のワイヤー１５ｂがアーム部材１６ｂの後端に接続（固定）されている（なお、符号１５をワイヤー１５ａ，１５ｂの総称とする）。
【００１１】
アーム部材１６ａ，１６ｂの後端は、ガイド金具２１とほぼ同じ高さに位置し、先端は、草抜き機１を立てた状態において、地面の位置か若しくは地面よりやや高い位置に配置される。
アーム部材１６ａ，１６ｂの先端側には水平（直角）方向にかつ、草抜き機１の前方に向けて、一対の挟持刃１８が、平行に取付けられている（図５参照）。挟持刃１８の先端は開口となり、雑草などの茎を挟持刃１８間に導入することができる。
挟持部材４の回動軸２０には巻ばね２３が設けられ、巻ばね２３は、アーム部材１６ａ，１６ｂの先端側及び挟持刃１８が開く方向に取付けられている。
【００１２】
図６のＡに示すように、ワイヤー１５の挟持部材４への取付位置とガイド金具２１の取付位置とがほぼ同じ高さである。挟持刃１８の開閉は、レバー１０が引かれると、ワイヤー１５が引かれ、ワイヤー１５の他端側では、アーム部材１６ａ，１６ｂの後端が近づくように内側へ引かれ、挟持刃１８が閉じる。レバー１０を離し、レバー１０が無負荷になると、巻ばね２３の反発力によって、挟持刃１８が開く方向に回転し（図６のＡの実線を参照）、ワイヤー１５の戻りによって、レバー１０が戻される。
このようにして、挟持刃１８が開閉する。したがって、本実施形態では、開閉手段は、ハンドルに取付けられた引き戻し可能なレバー１０と、進退可能なワイヤー１５と、ワイヤー１５に接続されている挟持部材４と、挟持部材４が開く方向に付勢する巻ばね２３とを備えている。
【００１３】
図５を参照にして、支柱２の後方には、クランク形状に折り曲げられた延長金具２６が固定され、延長金具２６の後端には、大小のコ字金具２７ａ，２７ｂが内外に取付けられ、コ字金具２７ａ，２７ｂには左右一対のローラ２５が回転可能に設けられている。草抜き機１は、挟持刃１８とローラ２５の接地によって、図２に示すように、起立姿勢で自立することができる。
【００１４】
次に、本実施形態の作用について説明する。
本実施形態の草抜き機１は、軽量であるので、何れかの箇所を持って、移動させるのも容易であるが、ローラ２５が取付けられているのでハンドル８をもって、ローラ２５を転がしながら移動させることができる。
草抜きを実行するためには、レバー１０を把持することなく、ハンドル８によって、引き抜くべき雑草の茎を、挟持刃１８の間に入り込むように誘導する。そして、草抜き機１を立てたままの姿勢かやや傾斜させた状態でレバー１０を手前に引き込む。すると、挟持刃１８が、１本又は複数の雑草の茎を挟持し、そのままレバー１０を掴んだまま、作業者はハンドル８を後方下側に回転させる。必要であればハンドルに自分の体重を加えるようにしてもよい。このように、てこの原理を用いて、挟持刃１８を作用点、ローラ２５を支点、ハンドル８を力点（テンソル）として、小さな力で雑草に対する大きな引き抜き力を得ることができる。
なお、ローラ２５を支点としたが、ローラ２５に代えて、他の部位（例えば、延長金具に支点となる部材を取り付けるなど）を地面に接地させることにより、支点にしてもよく、この意味では、ローラ２５を省略してもよい。
【００１５】
一般の自転車は、右側と左側のレバーが自転車の前輪と後輪とのブレーキを分散するので、レバー１０のそのものの力は２方へ分散されるが、本実施形態では、右側と左側とのレバー１０が２方に分散することなく、挟持刃１８にのみに集中するので、大きな挟持力を加えることができる。
また、本実施形態では、補助ハンドル９にレバー１０を取付けているので、レバー１０のストロークが大きくなっている。すなわち、図２を参照にして、レバー１０は、補助ハンドル９がハンドルであると仮定すれば、レバー１０は補助ハンドル９に干渉するストロークＳ１の長さまで引くことができる。しかしながら、補助ハンドル９をレバー１０と干渉することなく、両サイドを短くしているので、さらにレバー１０が後方のハンドル８に当接するまでの長さであるストロークＳ２だけ大きくなる。このように、ストロークを大きくして、挟持刃１８の広がりが大きくなるようにしている。加えて、ワイヤー１５と挟持部材４の取付部の高さと、ガイド金具２１のワイヤー１５の高さを同じとし、ワイヤー１５が水平に引かれることから、この点でも挟持部材４（及び挟持刃１８）の開閉ストロークが大きくなる。
さらには、上述したように、レバー１０が左右一対設けられているので、挟持刃１８の開閉ストロークは、レバーが１つの場合と比較して２倍となる効果もある。
変形例として、細い茎の雑草を引き抜くときは、ハンドルの片側のみにレバー、ワイヤーなどを取付け、挟持刃の他方を固定して、一方の挟持刃のみで挟持刃を開閉してもよい。
【００１６】
なお、本発明者は、雑草を連続的に引き抜く場合は、草の樹液が挟持刃の面に付着し、樹液が挟持刃の摩擦力を軽減し、雑草の除去に影響を及ぼすことを知見した。したがって、挟持刃の形状は、雑草の引き抜きに大きく影響する。雑草の茎を挟持するには、通常の切断刃のように、刃先が鋭いものでは、雑草を引き抜く前に雑草の茎を破断してしまうので、茎の高さ方向に茎を挟持するためにある程度の長さの平面か曲面を必要とする。
本実施形態では、挟持刃１８について、上側に茎当部２９を形成し、茎当部２９の下側から挟持刃１８の内側に突出する三角刃２８を設けている。すなわち、茎を挟持刃１８で挟持するときは、三角刃２８によって茎を噛み込み、茎当部２９で三角刃２８の噛み込みを規制し、その後、茎当部２９で茎を挟持しながら雑草を抜き取る。三角刃２８の噛み込みで、茎当部２９の滑りを軽減できる。
挟持刃については、三角刃を上下２箇所設けたり、表面形状の全体を三角刃にしたり、網状の凹凸によって形成してもよい。
【００１７】
また、本願実施形態では、草抜き機のコストを軽減するため手作業で行うようにしている。しかしながら、本草抜き機１はワイヤーの進退で挟持刃を開閉するので、回転モータなどに連結されたクラッチ付きのプーリなどを、ワイヤーに接続させて用いることができる。この場合は、プーリにワイヤーの一端を取付け、プーリのクラッチと回転モータをオンにしてワイヤーを引き、挟持刃を閉じることができる。挟持刃の閉時では、一定以上の負荷が加わらないよう、回転モータのトルクを調整できるものが好ましい。
ワイヤーを戻すときは、プーリのクラッチと電動モータをオフにして、上述した巻ばねなどによって、挟持刃を開位置に戻すことができる。よって、容易に電動方式に変更することができ、回転刃などを用いていないので、安全性にも問題がない。
【００１８】
次に、本発明の第２の実施形態について説明する。
上記第１の実施形態では、挟持刃の開閉ストロークがある程度制限される（ただし、上述した回転モータなどを用いた場合を除く）。
本実施形態では、上記第１の実施形態よりも、さらに、手動式で密接する複数本の雑草を束ねて抜くことができる草抜き機について説明する。
図７のＡ，Ｂ及び図８のＡ，Ｂを参照にして、草抜き機４１は、円形パイプの支柱４２と、該支柱４２の上端部に設けられているハンドル４３と、支柱４２の下側前部に設けられている挟持部材４４と、同じく支柱４２の下部に設けられている搬送部４５とを備えている。
支柱４２は、下部をくの字形状に折り曲げた形状の中空のパイプであり、下端部が搬送部４５のケーシング４８の底部に設けられている支持軸４９に回動可能に取付けられる。
支柱４２をくの字形状に折り曲げた部分には、連結金具５１が固定され、連結金具５１は、支柱４２の左右両側に延びている。連結金具５１の両端部には進退ロッド５２，２３が接続される。
【００１９】
連結金具５１の左右に設けられている左右の後側進退ロッド５３ａ，５３ｂ（符号５３はこれらを総称するの）は、上下に回動可能となるように後端が連結金具５１に軸支され、多少、左右に揺れる程度の隙間（遊び）が形成するように取付けられる。後側進退ロッド５３の前端は、前側進退ロッド５２ａ，５２ｂ（符号５２はこれらを総称する）の後端に接続され、前後の進退ロッド５２，５３同志の接続も、相互に上下方向に回動できるように軸支され、多少、左右に揺れる程度の隙間（遊び）があるように取付けられる。
前側進退ロッド５２の前端は、挟持部材４４のアーム部材５４ａ，５４ｂの後端側に連結ロッド５５を介して軸支され、前側進退ロッド５２ａ，５２ｂが水平方向に回動可能になるように連結されている。連結ロッド５５は、挟持部材４４の高さ位置と、進退ロッド５２，５３の高さ位置が異なるので、軸心を上下方向に向けて配設され、軸方向長さは挟持部材４４と進退ロッド５２の両者を連結できる長さが必要である。
【００２０】
挟持部材４４は、本実施形態では、内角が１２０度前後でくの字形状に形成された一対のアーム部材５４ａ，５４ｂを交差させ、該交差部には回動軸５６が設けられている。よって、一方のアーム部材５４ａは、後端側で連結ロッド５５を介して前側進退ロッド５２ａに連結され、他方のアーム部材５４ｂは、後端側で連結ロッド５５を介して前側進退ロッド５２ｂに連結される。
そして、回動軸５６がケーシング４８の前方側の固定金具６０に、挟持部材４４を取付け、挟持部材４４は、回動軸５６を軸心としてアーム部材５４ａ，５４ｂが回動される。
挟持部材４４は水平方向に配設され、回動軸５６よりも前方の部分は、一対の挟持刃５８が取り付けられている。挟持刃５８は、回動軸５６を軸心として回動することにより、Ｖ字形状に開いた状態（図７のＢ）と、閉じた状態（図８のＢ）に開閉が可能である。
【００２１】
挟持刃５８を開閉させるには、支柱４２を起立させた状態から（図７のＡ参照）、支持軸４９を回転軸として、後方下側に傾倒させる（図８のＡ参照）。すると、支柱４２に取り付けている連結金具５１が後方に移動し、前後の進退ロッド５２，５３が後退し、連結ロッド５５を介してアーム部材５４ａ，５４ｂの後端を後方側に引く。このアーム部材５４ａ，５４ｂを後方に引くことによって、アーム部材５４ａ，５４ｂが回動軸５６を軸心にして回動する。これにより、アーム部材５４ａ，５４ｂに取付けている挟持刃５８が内側に閉じる。
一方、後方に傾倒した支柱４２をもとの起立姿勢に戻すと、支柱４２に取り付けている連結金具５１が前方に移動し、前後進退ロッド５２，５３が前進し、連結ロッド５５を介してアーム部材５４ａ，５４ｂの後端を前方側に押す。このアーム部材５４ａ，５４ｂを前方に押すことによって、アーム部材５４ａ，５４ｂが回動軸５６を軸心にして回動する。これにより、アーム部材５４ａ，５４ｂの先端側に取付けている挟持刃５８が外側に開く。
したがって、本実施形態の開閉手段は、支柱４２と、支柱４２を回動自在に支持する支持軸４９と、前後進退ロッド５２，５３と、連結ロッド５５と挟持部材４４を備える。
【００２２】
挟持刃５８は、本実施形態では、上記第１の実施形態に比べて、茎当部６５の高さを大きくし、茎当部６５の下側に三角刃６４を設けている（図５の三角刃２８を参照）。茎当部６５の面には、網状の凹凸を形成している。
ケーシング４８の後方には、車軸６２が横方向にケーシング４８に支持され、車軸６２の両端には、一対のローラ６３が取付けられている。また、ケーシング４８には、支柱４２の前方と後方への回動角を制限する図示しないストッパーを形成している。
【００２３】
次に、本実施形態の作用について説明する。
草抜きを実行するためには、両手でハンドル４３を把持し、支柱４２を起立姿勢にしたまま、引き抜くべき雑草の茎を挟持刃５８の間に入り込むように誘導する。そして、草抜き機４１を立設させたまま（やや傾斜させてもよい）状態で、Ｖ字形状に開いた挟持刃５８の内部に雑草の茎を導入する。そして、作業者はハンドル４３を後方下側に回転させる。すると、Ｖ字形状の開状態にあった挟持刃５８が回動軸５６を軸心にして、閉じる方向に回転する。本実施形態では、支柱４２を後方に３０度、回転させると、挟持刃５８が閉じる。また、支柱４２の傾きが３０度を超えると、支柱４２は傾きが制限されるので、３０度以上の傾きを超えると、前方の挟持刃５８がケーシング４８の前端側と共に上方へ持ち上がる。詳しくは、てこの原理によって、挟持刃５８を作用点、ローラ６３を支点、ハンドル４３を力点（テンソル）として、挟持刃５８が雑草を挟持したまま上方へ回転する。実際には、雑草の茎の厚みで、雑草が完全に潰されない限りは、支柱４２の後方への回転は、茎の厚味で３０度に達する前に回転が制限される。こうして、支柱４２のケーシング４８に対する回転が制限されると、挟持刃５８は上方へ回転移動し、挟持刃５８によって挟持されている雑草が引き抜かれる。
【００２４】
なお、本実施形態では、挟持刃５８がＶ字形状であるので、雑草を挟持刃５８が挟持する際に、ケーシング４８が後退して茎を挟持できない場合がある。こうしたときは、ケーシング４８に図示しない足掛け部を形成し、足掛け部に足を踏み込んで、ケーシング４８の後退を止めることが好ましい。また、挟持刃５８の先端に茎当部６５から内側へ突出する図示しない、抜け止めを形成してもよい。ただし、雑草の茎を受け入れるスペースを確保する必要がある。
本実施形態では、挟持刃５８がＶ字形状であるので、挟持刃５８の先端が大きく開くため、挟持刃５８間に複数本の雑草の茎を受け入れることができる。また、挟持刃５８の長さを延ばすことによって、さらに多くの雑草を引き抜くことができる。実用的には、挟持刃５８の先端の開閉幅は約０〜７６ｍｍである。
【００２５】
また、本実施形態では、上述したように、草抜き機のコストを軽減するため草刈りを手作業で行うようにしている。しかしながら、本草抜き機４１は進退ロッド５２によって挟持刃を開閉するので、電動シリンダなどを用いて進退ロッドを進退させることができる。すなわち、一対のシリンダロッドの先端をアーム部材５４ａ，５４ｂの後端に取付けることによって、シリンダロッドを進退させ、挟持刃５８を開閉させることができる。
このように、本発明の各実施形態における草抜き機１，４８は、両手を用いて、雑草を引き抜くことができる。しゃがむことなく、作業が可能で、また、ハンドル８，４３の高さを腰から腹の位置にすることで、ハンドル８，４３に体重を乗せることもでき、作業を容易にすることができる。よって、支柱４２（第１の実施形態の支柱２も同じ）の高さは、作業者の身長に合わせて高さ調整できるようにするとよい。
【００２６】
以上、本発明を実施形態に基づいて添付図面を参照しながら詳細に説明したが、本発明は上記実施形態に限定されるものではなく、本発明の範囲を逸脱することなく、更に他の変形あるいは変更が可能である。
例えば、上記第１の実施形態においては、巻ばね２３をアーム部材１６ａ，１６ｂが開く方向へ付勢させたが、巻ばね２３をアーム部材１６ａ，１６ｂを閉じる方向へ付勢させてもよい。この場合は、雑草の茎を挟持するときにだけレバー１０を握って雑草の茎を挟持し、茎を挟持した後はレバー１０を離すので、レバー１０を握ったまま草抜き作業をする必要がなくなる。また、レバー１０を引いた状態でアーム部材１６ａ，１６ｂの先端が開かねばならないので、ガイド金具２１の向きが逆になる。よって、上記第１の実施形態では、ガイド金具２１の位置を中央にし、レバー１０によってアーム部材１６ａ，１６ｂを内側へ引いていたが、ガイド金具２１をアーム部材１６ａ，１６ｂの左右外側に位置変更させて、アーム部材１６ａ，１６ｂをレバー１０によって外側へ引く必要がある。
また、茎当部２９，６５に対しては、説明を省略したが、茎当部２９，６５の面に交換用のパッドなどを脱着可能に取付けるようにして、雑草の種類などに応じて形状や材質が異なるものを、適宜交換するようにしてもよい。例えば、そのパッドの材質を金属、ゴム、樹脂などに変更できるようにしてもよい。
さらに、茎当部２９，６５やこれに伴う三角刃２８，６４の形状については、一方向に直線方向へ延びる形状としたが、例えば、工具のプライヤの挟持部のように、半楕円弧形状の内面を形成し、一対の茎当部によって、単数若しくは複数の雑草を挟持するようにしてもよい。
【符号の説明】
【００２７】
１，４８  草抜き機
２，４２  支柱
４，４４  挟持部材
８，４３  ハンドル
９  補助ハンドル
１０  レバー
１５  ワイヤー
１６，５４  アーム部材
１８，５８  挟持刃
２０，５６  回動軸
２８，６４  三角刃
２９，６５  茎当部
４８  ケーシング
５２，５３  進退ロッド
５５  連結ロッド
２５，６３  ローラ
【図１】
2015080468.tif 000003
【図２】
2015080468.tif 000004
【図３】
2015080468.tif 000005
【図４】
2015080468.tif 000006
【図５】
2015080468.tif 000007
【図６】
2015080468.tif 000008
【図７】
2015080468.tif 000009
【図８】
2015080468.tif 000010